(57)【要約】【課題】締結を解除する際の操作性を向上することができるバックルアッセンブリを提供する。【解決手段】差込部と該差込部に設けられた係止部とを有する雄部材１２と、差込部を収容可能な筒部と、筒部に挿入された差込部の一部が突出する窓部と、係止部が係止されるスリーブと、窓部から突出した差込部の一部を筒部の内側へ押圧可能に設けられたアームとを有する雌部材１１とを備え、窓部から突出した差込部の一部とアームとの当接により係止部及びスリーブとを非係止状態として雄部材１２及び雌部材１１との締結を解除するバックルアッセンブリにおいて、押圧操作される操作面と、アームと接触する接触部とを有し、接触部を作用点として雌部材１１に対して傾動可能に変位する操作部材１３を備えた。【選択図】図１
2012217539.tif 000002
【特許請求の範囲】
【請求項１】
差込部と該差込部に設けられた係止部とを有する雄部材と、
前記差込部を収容可能な筒部と、前記筒部に挿入された前記差込部の一部が突出する窓部と、前記係止部が係止される被係止部と、前記窓部から突出した前記差込部の一部を前記筒部の内側へ押圧可能に設けられたアームとを有する雌部材とを備え、
前記窓部から突出した前記差込部の一部と前記アームとの当接により前記係止部及び前記被係止部とを非係止状態として前記雄部材及び前記雌部材との締結を解除するバックルアッセンブリにおいて、
押圧操作される操作面と、前記アームと接触する接触部とを有し、前記接触部を作用点として前記雌部材に対して傾動可能に変位する操作部材を備えたことを特徴とするバックルアッセンブリ。
【請求項２】
前記操作部材の接触部は、前記操作面の裏側に設けられた内側面の中央部に位置する請求項１に記載のバックルアッセンブリ。
【請求項３】
前記操作部材は、前記操作面が、互いに締結された前記雌部材及び前記雄部材の外周面に対して同一平面又は内側に配置される請求項１又は２に記載のバックルアッセンブリ。
【請求項４】
前記操作部材は、前記雌部材に対して遊嵌構造により連結されている請求項１〜３のいずれか１項に記載のバックルアッセンブリ。
【請求項５】
前記操作部材は、傾動可能な各方向に、前記操作部材の傾動角度に応じてスライド量を可変とする前記遊嵌構造をそれぞれ備えている請求項４に記載のバックルアッセンブリ。
【請求項６】
前記操作部材は、金属材からなる請求項１〜５のいずれか１項に記載のバックルアッセンブリ。
【請求項７】
前記操作部材は、少なくとも前記アーム全体を覆う大きさである請求項１〜６のいずれか１項に記載のバックルアッセンブリ。
【請求項８】
請求項１〜７のいずれか１項に記載されたバックルアッセンブリの操作部材。
【発明の詳細な説明】
【技術分野】
【０００１】
この発明は、バックルアッセンブリ及び操作部材に関する。
【背景技術】
【０００２】
鞄やバックパック等の装身具や衣類等の中には、帯状体が挿通されたバックルが用いられているものがある。このバックルの一つとして、特許文献１には、図１４に示すように、筒状部１０３を有し一方のベルトＢが取り付けられた雌部材１０１と、差込みアーム１０４を有し他方のベルトＢが取り付けられた雄部材１０２とを備えたバックルが記載されている。雌部材１０１は、係合突部１０６を有する１対の操作アーム１０５と、操作アーム１０５の係合突部１０６に対向する窓部１０７とを有している。雄部材１０２は、差込みアーム１０４の先端に係合部１０８を有する。
【０００３】
雌部材１０１に雄部材１０２の差込みアーム１０４を挿入する際、差込みアーム１０４は筒状部１０３の内側面を摺動し、内側へ弾性変形する。そして差込みアーム１０４の先端の係合部１０８が、雌部材１０１の窓部１０７に至ると、各差込みアーム１０４は、撓みにより保持されていた弾発力により筒状部１０３内で外向きに拡開して、係合部１０８が窓部１０７に挿入された係合状態となる。
【０００４】
バックルの締結を解除する際は、操作アーム１０５の先端を親指と人差し指とで互いに内方に押圧する。これにより、各操作アーム１０５が内側に撓み、それぞれの係合突部１０６が、雄部材１０２の係合部１０８を内側に押圧して、差込みアーム１０４を内側に撓ませる。これにより、雄部材１０２は抜き出し方向へ付勢されて雌部材１０１より押し出され、締結が解除される。
【先行技術文献】
【特許文献】
【０００５】
【特許文献１】特開平９−１８７３０９号公報
【発明の概要】
【発明が解決しようとする課題】
【０００６】
しかし、上記したバックルの場合、雌部材１０１と雄部材１０２との締結を解除するには、係合突部１０６の真上をほぼ垂直に押圧しなければならない。例えば、操作アーム１０５の基端部を指で押圧した場合には、操作アーム１０５が撓まず、係合突部１０６を介して、雌部材１０１の窓部１０７から突出した係合部１０８を内側に押し込むことができない。このため、厚い手袋を装着した場合等、指先による細かな操作が難しい状況では、上記バックルの係合突部１０６を正確に押圧できず、締結解除が困難となる。このため、バックルの締結解除における操作性の向上が要請されていた。
【０００７】
本発明は、上記問題点に鑑みてなされたものであり、その目的は、締結を解除する際の操作性を向上することができるバックルアッセンブリを提供することにある。
【課題を解決するための手段】
【０００８】
上記問題点を解決するために、請求項１に記載の発明は、差込部と該差込部に設けられた係止部とを有する雄部材と、前記差込部を収容可能な筒部と、前記筒部に挿入された前記差込部の一部が突出する窓部と、前記係止部が係止される被係止部と、前記窓部から突出した前記差込部の一部を前記筒部の内側へ押圧可能に設けられたアームとを有する雌部材とを備え、前記窓部から突出した前記差込部の一部と前記アームとの当接により前記係止部及び前記被係止部とを非係止状態として前記雄部材及び前記雌部材との締結を解除するバックルアッセンブリにおいて、押圧操作される操作面と、前記アームと接触する接触部とを有し、前記接触部を作用点として前記雌部材に対して傾動可能に変位する操作部材を備えたことを要旨とする。
【０００９】
請求項１に記載の発明によれば、操作部材は、雌部材に対して傾動可能に変位するため、接触部の真上から押圧操作された場合には水平に変位し、操作面の端部が押圧操作された場合には、差込部との接触部を作用点として傾動しつつ変位することができる。そして、この操作部材の変位により、操作部材と接触したアームが、窓部から突出した差込部の一部を筒部の内側へ押圧し、係止部と被係止部とを非係止状態とする。このように操作面のどの位置を押圧操作しても、雄部材及び雌部材の締結を容易に解除することができるので、バックルアッセンブリの締結を解除する際の操作性を向上することができる。
【００１０】
請求項２に記載の発明は、請求項１に記載のバックルアッセンブリにおいて、前記操作部材の接触部は、前記操作面の裏側に設けられた内側面の中央部に位置することを要旨とする。
【００１１】
請求項２に記載の発明によれば、操作部材の接触部は、その内側面の中央部に配置されている。このため、操作面のうち、接触部の真上以外のどの位置が操作されても、接触部を作用点として傾動しつつ変位することができる。
【００１２】
請求項３に記載の発明は、請求項１又は２に記載のバックルアッセンブリにおいて、前記操作部材は、前記操作面が、互いに締結された前記雌部材及び前記雄部材の外周面に対して同一平面又は内側に配置されることを要旨とする。
【００１３】
請求項３に記載の発明によれば、雌部材及び雄部材が締結された際に、操作部材は、その操作面が、雌部材及び雄部材の外周面に対して同一面上若しくは内側となるように配置されるので、操作面がバックルアッセンブリの外周面から突出せず、誤って解除操作されるようなことがない。
【００１４】
請求項４に記載の発明は、請求項１〜４のいずれか１項に記載のバックルアッセンブリにおいて、前記操作部材は、前記雌部材に対して遊嵌構造により連結されていることを要旨とする。
【００１５】
請求項４に記載の発明によれば、操作部材及び雌部材は、間隔を持って互いに嵌合される遊嵌構造によって連結されているため、操作部材を雌部材に対して変位可能に固定することができる。
【００１６】
請求項５に記載の発明は、請求項４に記載のバックルアッセンブリにおいて、前記操作部材は、傾動可能な各方向に、前記操作部材の傾動角度に応じてスライド量を可変とする前記遊嵌構造をそれぞれ備えていることを要旨とする。
【００１７】
請求項５に記載の発明によれば、操作部材は、傾動可能な各方向に異なるスライド量でスライド可能な遊嵌構造を備えているので、操作部材が傾動した場合には、傾動側でスライド量を大きく、その反対側でスライド量を小さくすることができる。このため、操作部材が傾動した場合でも、操作部材を安定して支持することができる。
【００１８】
請求項６に記載の発明は、請求項１〜５のいずれか１項に記載のバックルアッセンブリにおいて、前記操作部材は、金属材からなることを要旨とする。
請求項６に記載の発明によれば、操作部材は金属材からなるため、例えば樹脂で形成する場合よりも薄く形成することができる。このため、操作面に印加された押圧力を、雌部材の可撓片に伝達しやすくすることができる。
【００１９】
請求項７に記載の発明は、請求項１〜５のいずれか１項に記載のバックルアッセンブリにおいて、前記操作部材は、少なくとも前記アーム全体を覆う大きさであることを要旨とする。
【００２０】
請求項７に記載の発明によれば、操作部材は、少なくともアーム全体を覆う大きさであるため、押圧操作が容易になる。
請求項８に記載のバックルアッセンブリの操作部材は、請求項１〜７のいずれか１項に記載された操作部材の構成を有することを要旨とする。
【００２１】
請求項８に記載の発明によれば、操作部材は、雌部材に傾動可能に設けられるため、従来のバックルアッセンブリに取り付けることで、バックルアッセンブリの操作性を向上させることができる。
【発明の効果】
【００２２】
以上のように、この発明によれば、締結解除における操作性を向上することができるバックルアッセンブリを提供することができるという効果を奏する。
【図面の簡単な説明】
【００２３】
【図１】本発明のバックルアッセンブリを具体化した一実施形態を示す斜視図。
【図２】同バックルアッセンブリの非締結状態を示す平面図。
【図３】同バックルアッセンブリの操作部材を取り外した状態を示す平面図。
【図４】同バックルアッセンブリの雌部材の断面図。
【図５】同雌部材の要部平面図。
【図６】締結状態の同バックルアッセンブリの底面図。
【図７】同バックルアッセンブリの雄部材の平面図。
【図８】同バックルアッセンブリの操作部材の斜視図。
【図９】締結操作中の同バックルアッセンブリの断面図。
【図１０】締結状態の同バックルアッセンブリの断面図。
【図１１】解除操作中の同バックルアッセンブリの断面図。
【図１２】解除操作中の同バックルアッセンブリの断面図であって、（ａ）は操作面のうち鍔部側が押圧操作された状態の全体を示し、（ｂ）はその要部を示す。
【図１３】解除操作中の同バックルアッセンブリの断面図であって、（ａ）は操作面のうちテープ取付部側が押圧操作された状態の全体を示し、（ｂ）はその要部を示す。
【図１４】従来のバックルの平面図。
【発明を実施するための形態】
【００２４】
以下、本発明のバックルアッセンブリを具体化した一実施形態について、図１〜図１３に従って説明する。本実施形態のバックルアッセンブリは、鞄やバックパック等の装身具、衣類といった被取付物に具備され、指で解除操作されるアッセンブリである。
【００２５】
図１に示すように、バックルアッセンブリは、雌部材１１と、雌部材１１に着脱可能な雄部材１２と、雌部材１１に固定された１対の操作部材１３とを備えている。雌部材１１及び雄部材１２は、樹脂から形成され、操作部材１３はステンレスやアルミニウム等の金属材から形成されている。
【００２６】
図２に示すように、このバックルアッセンブリは、雌部材１１に取り付けられた一方のテープＴと、雄部材１２に取り付けられた他方のテープＴとを、ほぼ平行に接続するストレートタイプのアッセンブリである。各テープＴは、少なくともテープＴの長手方向の端が上記被取付物に固定されている。各テープＴを接続する際には、雄部材１２の差込部１４を雌部材１１に押し込むことで、雄部材１２を雌部材１１に対して締結する。
【００２７】
次に、雌部材１１について説明する。図３に示すように、雌部材１１は、偏平状であって平面視において略矩形状をなす筒部１５を備えている。筒部１５の一端には、テープＴを挿通するためのテープ取付部１６が一体に形成されている。このテープ取付部１６には、テープＴを挿通するための細長状の各テープ挿通孔１８ａ，１８ｂが貫通形成されている。このうちテープ挿通孔１８ａ内には、テープＴを挿入しやすくするための傾斜面１８ｃが形成されている。テープ取付部１６は、筒部１５の幅よりも大きい幅を有しており、テープ取付部１６と筒部１５との間には全周に亘って段差１６ａが設けられている。
【００２８】
また、筒部１５のうち、テープ取付部１６に対して反対側の端部には、筒部１５の外周面に沿って鍔部１７が突出形成されている。鍔部１７と筒部１５との間には段差１７ａが設けられている。
【００２９】
鍔部１７とテープ取付部１６とには、操作部材１３を筒部１５に変位可能に固定するための遊嵌構造を構成する１対の挿入穴１６ｂ，１７ｂが凹状にそれぞれ形成されている。テープ取付部１６に形成された各挿入穴１６ｂは、段差１６ａにおいて開口している。鍔部１７に形成された各挿入穴１７ｂは、段差１７ａにおいて開口している。
【００３０】
図４に示すように、筒部１５は、雄部材１２の差込部１４を挿入するためのスロット部２０を内側に備えている。スロット部２０は、テープ取付部１６に対して反対側に開口２１を備えている。また、筒部１５の各端面１５ａのうち、略中央には、スロット部２０に連通する窓部２２がそれぞれ貫通形成されている。この窓部２２からは、雄部材１２を雌部材１１に締結した際に、差込部１４の一部が突出する。
【００３１】
さらに、筒部１５の内側面には、雄部材１２の差込部１４を案内するためのガイド溝２０ａが凹状に形成されている。ガイド溝２０ａは、テープ取付部１６から開口２１にかけて帯状に延びるように形成され、さらに開口２１に向かって三角形状に拡開している。
【００３２】
さらに、図３に示すように、筒部１５のうち、窓部２２が形成された端面１５ａであって、窓部２２と鍔部１７との間には、被係止部としてのスリーブ２３が張り出すように形成されている。スリーブ２３は、その基端が鍔部１７に一体に設けられ、先端には、傾斜面２３ａを備えている。この傾斜面２３ａの頂部には、雌部材１１に挿入された雄部材１２の差込部１４の一部が係止される。
【００３３】
また筒部１５とテープ取付部１６との間に設けられた段差１６ａであって、筒部１５の両側には、アーム２５が片持ち梁状に支持されている。アーム２５は、段差１６ａから図中斜め下方に向かって延出するアーム部２６と、アーム部２６の先端に設けられた押圧部２７とを備えている。アーム部２６は、押圧部２７に押圧力が加えられると、段差１６ａ側の基端を中心に雌部材１１の筒部１５に向かって撓むようになっている。また、押圧部２７への押圧が解除されると、弾性力により元の位置に復帰する。また、押圧部２７は、窓部２２に対向するように配置されている。
【００３４】
図５に示すように、アーム２５の押圧部２７は、偏平状をなし、雌部材１１の窓部２２に挿入可能な大きさに形成されている。押圧部２７には、雌部材１１に操作部材１３が固定された際に、操作部材１３の内側面にその一部が接触する当接面２７ａと、窓部２２から突出した雄部材１２の差込部１４の一部を押圧する押圧面２７ｂとが形成されている。当接面２７ａは、押圧部２７の外周面のうち最も外側に配置されている。また、押圧面２７ｂは、雌部材１１に操作部材１３を固定しない状態では、筒部１５の端面１５ａに対して傾斜し、スリーブ２３に係止された雄部材１２の差込部１４の一部に略平行となっている。
【００３５】
また、雌部材１１に操作部材１３を固定しない状態では、押圧部２７は、その一部が、テープ取付部１６のうち最も外側に張り出した下端と鍔部１７の外周面とを結ぶ外側線ＬＮよりも突出している。このため、雌部材１１に操作部材１３を固定すると、アーム２５は操作部材１３の内側面に押圧されて内側に撓むとともに、弾性力により操作部材１３を外側に付勢する。
【００３６】
図６に示すように、筒部１５の底面には、各操作部材１３を雌部材１１に固定するための遊嵌構造を構成する突条１５ｓが２対形成されている。各対の突条１５ｓは、筒部１５の幅方向に平行に延び、テープ取付部１６の近傍と鍔部１７の近傍とに間隔を空けてそれぞれ形成されている。
【００３７】
次に、雄部材１２について説明する。図７に示すように、雄部材１２は、テープＴを挿通するためのテープ取付部３０を備えている。テープ取付部３０には、テープＴを挿通するための細長状のテープ挿通孔３１，３２が形成されている。このうちテープ挿通孔３２内には、傾斜面３２ａが形成されている。
【００３８】
テープ取付部３０からは、雌部材１１のスロット部２０に挿入される差込部１４が延出されている。差込部１４は、テープ取付部３０に連続して形成された台形状の基部１４ａと、基部１４ａの長手方向における中央部から、その長手方向と直交する方向に延びる支持部３３とを備えている。支持部３３の先端には、該先端から基部１４ａ側に向かって斜めに延びる１対の可撓片３４が形成されている。可撓片３４の先端には、雌部材１１のスリーブ２３の傾斜面２３ａの頂部に係止可能な係止部３５が設けられている。係止部３５は、先細り形状に形成された、平面視略三角形状の爪部と、爪部の基端側に設けられた段差とを有している。各係止部３５の間の距離Ｌ１は、差込部１４の最大幅であり、この距離Ｌ１は、差込部１４が挿入される雌部材１１のスロット部２０の幅よりも大きい。このため、差込部１４は、スロット部２０に対し、可撓片３４を互いに近接する方向に撓ませた状態で挿入されていく。
【００３９】
次に、各操作部材１３について図８に従って説明する。尚、各操作部材１３は同一形状である。操作部材１３は、板状の金属材を切削及びプレス加工することにより形成されている。また操作部材１３は、雌部材１１に固定された際に、アーム２５を含む筒部１５の端面１５ａ側を覆うことができる大きさに形成されている。
【００４０】
操作部材１３は、断面略コの字状（又はＵ字状）に形成され、略長方形状の第１片部３６と、第１片部３６と略平行に延びる第２片部３９と、第１片部３６及び第２片部３９とを連結する操作部３８とを備えている。
【００４１】
第１片部３６は、操作部材１３が雌部材１１に対して固定された際に、雌部材１１の筒部１５の表面に配設される。第１片部３６は、筒部１５の表面の形状に合わせてプレス加工されており、その長手方向の両端からは、操作部材１３を雌部材１１に遊嵌するための遊嵌構造を構成する各挿入片３６ａが突出している。これらの挿入片３６ａは、雌部材１１の挿入穴１６ｂ，１７ｂにそれぞれ固定される。また、挿入片３６ａの幅は、挿入穴１６ｂ，１７ｂの幅よりも小さく形成されている。即ち、挿入片３６ａ及び挿入穴１６ｂ，１７ｂは、操作部材１３を雌部材１１に対して変位可能に固定するための遊嵌構造を構成し、挿入片３６ａは、挿入穴１６ｂ，１７ｂに対して間隔（遊び）をもった状態で嵌合される。
【００４２】
第２片部３９は、操作部材１３が雌部材１１に対して固定された際に、突条１５ｓが形成された底面に固定される。第２片部３９もまた、筒部１５の裏面の形状に合わせてプレス加工されており、その各端部には、雌部材１１の底面に形成された突条１５ｓを嵌合するための遊嵌構造を構成する１対の嵌合孔３９ａが貫通形成されている。嵌合孔３９ａは、細長状に形成され、その長手方向に沿った幅は、突条１５ｓの幅よりも大きく形成されている。即ち、嵌合孔３９ａ及び突条１５ｓは、操作部材１３を雌部材１１に対して変位可能に固定するための遊嵌構造を構成し、突条１５ｓは、嵌合孔３９ａに対して間隔（遊び）をもった状態で嵌合される。
【００４３】
第２片部３９の短手方向の幅は、第１片部３６の短手方向の幅よりも大きくなっている。また、操作部材１３を雌部材１１に対して変位可能に設けるために、１対の操作部材１３を雌部材１１に固定した際に、各第２片部３９の間には間隔が設けられるようになっている。
【００４４】
操作部３８は、雌部材１１の筒部１５の端面１５ａの大きさとほぼ同一の大きさであって、人差し指や親指の指先の腹の大きさ程度に形成されている。操作部３８は、その外側に操作面３８ａを有し、内側に同じく平面状の接触面３８ｂを有する。接触面３８ｂは、操作部材１３が雌部材１１に固定された際、その一部が、雌部材１１のアーム２５の当接面２７ａに接触する。
【００４５】
操作部材１３を雌部材１１に固定する際は、第１片部３６及び第２片部３９の間の開口から雌部材１１の筒部１５を挿入する。そして、操作部材１３の挿入片３６ａを、雌部材１１の挿入穴１６ｂ，１７ｂにそれぞれ挿入する（図１参照）。また、図６に示すように、操作部材１３の嵌合孔３９ａに、雌部材１１の突条１５ｓをそれぞれ嵌合する。上記したように、挿入片３６ａと挿入穴１６ｂ、１７ｂとの間には間隔が設けられ、嵌合孔３９ａと突条１５ｓとの間にも間隔が設けられるため、各操作部材１３は雌部材１１に対してスライド（変位）可能である。
【００４６】
また、雌部材１１に各操作部材１３を固定すると、上記したように操作部材１３の内側面による規制によりアーム２５が内側に撓む。このため、アーム２５は、その弾性力により、操作部材１３を外側に付勢しながら、操作部材１３の内側に収容された状態となる。このとき、アーム２５の当接面２７ａの一部は、操作部材１３の接触面３８ｂの中央部に接触する。
【００４７】
アーム２５に内側から付勢された操作部材１３は、挿入片３６ａと挿入穴１６ｂ、１７ｂとの係止、及び嵌合孔３９ａと突条１５ｓとの係止により、その操作面３８ａがテープ取付部１６の外周面と鍔部１７の外周面から突出しない位置に配置される。以下、この操作部材１３の位置を、非作用位置という。
【００４８】
次にバックルアッセンブリの作用について図９〜図１３に従って説明する。尚、図９〜図１３では、雌部材１１及び雄部材１２に挿通されたテープＴを便宜上省略している。
雌部材１１と雄部材１２とを締結する際は、一方のテープＴが挿通された雌部材１１の開口２１と、他方のテープＴが挿通された雄部材１２の差込部１４とを対向させる。そして、図９に示すように、差込部１４を、雌部材１１のスロット部２０に挿入していく。この際、上記したように差込部１４の最大幅は、スロット部２０の幅よりも大きいため、各可撓片３４は、ガイド溝２０ａに導かれながら係止部３５を互いに近接させるように内側に撓んだ状態で挿入されていく。また、係止部３５は、スロット部２０の側面を摺動していく。
【００４９】
そして、係止部３５が雌部材１１の窓部２２に到達すると、可撓片３４は、撓み戻しにより外側へ拡開していく。可撓片３４が拡開していく過程で、スリーブ２３の傾斜面２３ａの頂部は、可撓片３４の外側面に当接した状態から、図１０に示すように係止部３５との段差と当接した状態へと移行し、係止部３５と係止して可撓片３４の拡開を規制する。このとき可撓片３４の一部が窓部２２から突出した状態となる。また、可撓片３４の先端は、雌部材１１の押圧部２７に当接する。このように可撓片３４の係止部３５が雌部材１１のスリーブ２３の頂部に係止されると、その係止によって雄部材１２が通常の力では雌部材１１から抜出できなくなり、雄部材１２が雌部材１１に締結された状態になる。
【００５０】
次に、互いに締結された雌部材１１及び雄部材１２を締結解除する際の作用について説明する。操作部材１３が雌部材１１に装着されていない場合、雌部材１１のアーム２５の押圧部２７を指で押圧する必要があるが、本実施形態のように雌部材１１に操作部材１３が装着されている場合、操作部材１３の操作面３８ａのいずれかの位置を押圧すればよい。
【００５１】
まず、操作部材１３の中央部を押圧した場合について説明する。図１０に示すように、操作部材１３は、その接触面３８ｂの中央部にアーム２５との接触部Ｐを有している。このため、操作面３８ａの中央部を押圧すると、図１１に示すように、操作面３８ａが、筒部１５の端面１５ａに対して平行な状態を維持したまま変位する。
【００５２】
操作部材１３が筒部１５に近接する方向に変位すると、操作部材１３と押圧部２７との当接によりアーム２５が内側へ押圧される。アーム２５は内側へ向かって撓み、押圧部２７は、窓部２２から突出した雄部材１２の可撓片３４の外側面を押圧する。各可撓片３４は、押圧部２７からの押圧力を受けて内側に撓もうとする。そして、押圧力が、係止部３５とスリーブ２３の頂部との係止状態を解除可能な大きさとなったとき、係止部３５がスリーブ２３の頂部から外れ、各可撓片３４が互いに近接する方向へ撓む。このときの操作部材１３の位置を、以下、作用位置という。
【００５３】
係止部３５とスリーブ２３の頂部との係止が解除されると、雄部材１２は、その撓み戻しの弾性力により、ガイド溝２０ａに導かれながら雌部材１１から抜け出す。そして、操作部材１３への押圧力が解除されると、操作部材１３は、アーム２５の弾性力により、作用位置から非作用位置に付勢される。
【００５４】
次に、各操作部材１３の操作面３８ａのうち、雌部材１１の鍔部１７側（開口側）を押圧した場合について説明する。図１２（ａ）に示すように、操作面３８ａのうち、アームとの接触部Ｐの真上ではなく、雌部材１１の鍔部１７側を指先で押圧操作した場合、各操作部材の操作部３８は、鍔部１７側へ傾動する。この際、操作部材１３は、傾動方向の両側において、挿入片３６ａ及び挿入穴１６ｂによる遊嵌構造と、挿入片３６ａ及び挿入穴１７ｂによる遊嵌構造とによって雌部材１１に連結され、各嵌合孔３９ａ及び各突条１５ｓによる遊嵌構造によって雌部材１１に連結されているので、操作部３８が傾いた状態であっても安定して支持することができる。また、挿入穴１７ｂ内での挿入片３６ａのスライド量と、鍔部１７側の嵌合孔３９ａ内の突条１５ｓのスライド量を、挿入穴１６ｂ内の挿入片３６ａのスライド量と、テープ取付部１６側の嵌合孔３９ａ内の突条１５ｓのスライド量よりも大きくすることで、操作部材１３傾動による両側の変位量の差を吸収することができる。
【００５５】
また、図１２（ｂ）に示すように、操作部材１３は、その接触面３８ｂの中央部においてアーム２５と接触しているので、その接触部Ｐを作用点とし、接触部Ｐを中心に鍔部１７側へ傾動し、非作用位置から、鍔部１７側へ傾いた傾斜作用位置まで変位する。このとき、操作面３８ａに加えられた押圧力は、接触部Ｐを介して、押圧部２７に伝達される。
【００５６】
操作面３８ａに加えられた押圧力の大きさが、雄部材１２の可撓片３４の係止部３５とスリーブ２３の頂部との係止を解除可能な大きさ以上となると、係止部３５がスリーブ２３の頂部から外れ、雄部材１２は雌部材１１から抜出する。
【００５７】
次に、操作部材１３の操作面３８ａのうち、雌部材１１のテープ取付部１６側を押圧した場合について説明する。図１３（ａ）に示すように、操作面３８ａのうちテープ取付部１６側を押圧操作した場合、操作部材１３は、テープ取付部１６側へ傾動する。このとき、挿入穴１６ｂ内の挿入片３６ａのスライド量と、テープ取付部１６側の嵌合孔３９ａ内の突条１５ｓのスライド量を、挿入穴１７ｂ内の挿入片３６ａのスライド量と、鍔部１７側の嵌合孔３９ａ内に嵌合された突条１５ｓのスライド量よりも大きくすることで、操作部材１３の両側の変位量の差を吸収することができる。
【００５８】
また図１３（ｂ）に示すように、操作部材１３は、接触面３８ｂの中央においてアーム２５と接触しているので、その接触部Ｐを作用点としてテープ取付部１６側へ移動して、非作用位置からテープ取付部側へ傾いた傾斜作用位置まで変位する。即ち、操作部材１３は、接触面３８ｂの中央部において接触部Ｐを有しているので、鍔部１７側及びテープ取付部１６側の両方へほぼ同様に傾動可能である。このとき、操作面３８ａに加えられた押圧力は、接触部Ｐを介して、押圧部２７に伝達される。
【００５９】
操作面３８ａに加えられた押圧力の大きさが、雄部材１２の可撓片３４の係止部３５とスリーブ２３の頂部との係止を解除可能な大きさ以上となると、係止部３５がスリーブ２３の頂部から外れ、弾性力により、雄部材１２は雌部材１１から抜出する。
【００６０】
このように、操作部材１３の操作面３８ａのうち接触部Ｐの真上に当たる位置を押圧せずとも、操作面３８ａ上の一箇所を押圧すれば雌部材１１及び雄部材１２の締結を解除することができる。このため、厚い手袋を装着していても、締結を解除するための操作を容易に行うことができる。また、例えば子供等、細かな操作が難しいユーザであっても締結解除操作を容易に行うことができる。
【００６１】
上記実施形態によれば、以下のような効果を得ることができる。
（１）上記実施形態では、操作部材１３は、雌部材１１に対して傾動可能に変位するため、接触部Ｐの上から押圧操作された場合には水平に変位し、操作面３８ａの端部が押圧操作された場合には、アーム２５との接触部Ｐを作用点として傾動しつつ変位することができる。そして、この操作部材１３の変位により、操作部材１３と当接したアーム２５が、雄部材１２の可撓片３４の一部を筒部１５の内側へ押圧し、係止部３５及びスリーブ２３の係止状態を解除する。このため、操作面３８ａのどの位置を押圧操作しても、雄部材１２及び雌部材１１の締結を容易に解除することができる。従って、バックルアッセンブリの操作性を向上することができる。
【００６２】
（２）上記実施形態では、操作部材１３の接触部Ｐは、操作部材１３の接触面３８ｂの中央部に配置されている。このため、操作面３８ａのうち、接触部Ｐの真上以外のどの位置が操作されても、接触部Ｐを作用点としてアーム２５を押圧可能に傾動且つ変位することができる。
【００６３】
（３）上記実施形態では、操作部材１３は、その操作面３８ａが、互いに締結された雌部材１１及び雄部材１２の外周面に対して同一面上若しくは内側となるように設けられている。このため、操作面３８ａがバックルアッセンブリの外周面から突出せず、誤って解除操作されるようなことがない。
【００６４】
（４）上記実施形態では、操作部材１３及び雌部材１１は、間隔を持って互いに嵌合される遊嵌構造により連結されている。即ち、操作部材１３は、挿入片３６ａ及び嵌合孔３９ａを有し、雌部材１１は、挿入片３６ａを遊嵌する挿入穴１６ｂ、１７ｂと、嵌合孔３９ａに遊嵌される突条１５ｓとを有する。従って、挿入片３６ａと挿入穴１６ｂ，１７ｂとの間隔、及び嵌合孔３９ａと突条１５ｓとの間隔が設けられることで、操作部材１３が、非作用位置と、窓部から突出した可撓片３４の一部を押圧可能な作用位置又は傾斜作用位置との間で変位することができる。
【００６５】
（５）操作部材１３は、傾動可能な方向の両側、即ちテープ取付部１６側と鍔部１７側とに、操作部材１３の傾動角度に応じてスライド量を可変とする遊嵌構造を備えている。即ち、操作部材１３は、傾動可能な各方向に挿入片３６ａをそれぞれ備えるとともに、嵌合孔３９ａをそれぞれ備えている。また、雌部材１１は、各挿入片３６ａを挿入可能な挿入穴１６ｂ，１７ｂと、各嵌合孔３９ａにそれぞれ嵌合可能な突条１５ｓとを備えている。このため、例えば操作部材１３がテープ取付部１６側に傾動した場合には、挿入穴１６ｂ内の挿入片３６ａのスライド量を、挿入穴１７ｂ内の挿入片３６ａのスライド量よりも大きくすることができる。また、テープ取付部１６側の嵌合孔３９ａ内の突条１５ｓのスライド量を、鍔部１７側の嵌合孔３９ａ内の突条１５ｓのスライド量よりも大きくすることができる。このため、傾動時の操作部材１３の両側における変位量の差を吸収することができる。従って、操作部材１３を安定して支持することができる。
【００６６】
（６）上記実施形態では、操作部材１３は金属材からなるため、例えば樹脂で形成する場合よりも薄く形成することができる。このため、操作面３８ａに印加された押圧力を、雌部材１１の可撓片３４に伝達しやすくすることができる。
【００６７】
（７）上記実施形態では、操作部材１３は、雌部材１１のうちテープ取付部１６から鍔部１７までを覆う大きさであるため、押圧操作を容易にすることができる。
尚、上記実施形態は以下のように変更してもよい。
【００６８】
・上記実施形態では、操作部材１３を雌部材１１に対して変位可能に固定するための遊嵌構造を、挿入穴と、挿入穴に挿入される挿入片とのみから構成してもよい。或いは、嵌合孔と、嵌合孔に嵌合される突条とから構成してもよい。また、挿入穴及び突条は、操作部材１３に形成してもよい。
【００６９】
・操作部材１３は、板状の樹脂材から形成してもよい。
・操作部材１３は、少なくとも可撓片３４全体を覆う大きさであればよい。
・操作部材１３が固定されるバックルは、差込部と係止部とを有する雄部材と、差込部を収容可能な筒部と、筒部に挿入された差込部の一部が突出する窓部と、係止部が係止される被係止部と、窓部から突出した差込部の一部を押圧可能に設けられたアームとを有する雌部材とを備えているバックルであれば、上記実施形態以外のバックルでもよい。
【００７０】
・バックルアッセンブリに挿通される挿通体は、テープ等の帯状体の他、紐でもよい。
【符号の説明】
【００７１】
Ｐ…接触部、１１…雌部材、１２…雄部材、１３…操作部材、１４…差込部、１５…筒部、１５ｓ…遊嵌構造を構成する突条、１６ｂ，１７ｂ…遊嵌構造を構成する挿入穴、２２…窓部、２３…被係止部としてのスリーブ、２５…アーム、３５…係止部、３６ａ…遊嵌構造を構成する挿入片、３８ａ…操作面、３９ａ…遊嵌構造を構成する嵌合孔。
【図１】
2012217539.tif 000003
【図２】
2012217539.tif 000004
【図３】
2012217539.tif 000005
【図４】
2012217539.tif 000006
【図５】
2012217539.tif 000007
【図６】
2012217539.tif 000008
【図７】
2012217539.tif 000009
【図８】
2012217539.tif 000010
【図９】
2012217539.tif 000011
【図１０】
2012217539.tif 000012
【図１１】
2012217539.tif 000013
【図１２】
2012217539.tif 000014
【図１３】
2012217539.tif 000015
【図１４】
2012217539.tif 000016